(57)【要約】【課題】浴槽内に収容した状態にて水の還元を実現する一方、浴槽から離れた部屋内の空気の還元に適用し、更には飲用水の還元にも適用するという多目的な利用を可能とするような還元水生成装置の構成を提供すること。【解決手段】水を収容する皿状の容器の底部１１に一対の板状電極４をそれぞれ貼着し、当該容器１に対し、上側において電気分解に基づく酸素及び水素が通過する孔５を有している被覆部２を接続するか又は一体形成し、前記容器１又は前記被覆部２を下側から支持する支持部３中に直流電源６を備えていることに基づく還元水生成装置。【選択図】図１
0003155538.tif 000002
【実用新案登録請求の範囲】
【請求項１】
水を収容する皿状の容器の底部に一対の板状電極をそれぞれ貼着し、当該容器に対し、上側において電気分解に基づく酸素及び水素が通過する孔を有している被覆部を接続するか又は一体形成し、前記容器を下側から支持する支持部中に直流電源を備えていることに基づく還元水生成装置。
【請求項２】
水を収容する皿状の容器の底部に一対の板状電極をそれぞれ貼着し、当該容器に対し、上側において電気分解に基づく酸素及び水素が通過する孔を有している被覆部を接続するか又は一体形成し、前記被覆部を下側から支持する支持部中に直流電源を備えていることに基づく還元水生成装置。
【請求項３】
被覆部において、周囲部から中央部となる位置に沿って下側に窪んだ形状であることを特徴とする請求項１、２の何れか１項に記載の還元水生成装置。
【請求項４】
一対の電極の一方が他方を囲んだ形状であるか、一方の電極を凸形状とし、他方の電極を凹形状としたうえで、凸形状の凸部の領域が凹形状の凹部の領域に突入した形状であることを特徴とする請求項１、２、３の何れか１項に記載の還元水生成装置。
【請求項５】
被覆部の上側に内側に扇風機を収容し、しかも加水分解による酸素又は水素を通過させる孔を設置している蓋を付加したことを特徴とする請求項１、２、３、４の何れか１項に記載の還元水生成装置。
【請求項６】
直流電源に対し、定電流回路を接続していることを特徴とする請求項１、２、３、４、５の何れか１項に記載の還元水生成装置。
【請求項７】
酸素又は水素を通過させる孔がそれぞれ陽極又は陰極に対応した位置にあることを特徴とする請求項１、２、３、４、５、６の何れか１項に記載の還元水生成装置。
【考案の詳細な説明】
【技術分野】
【０００１】
本発明は、直流電圧を印加することによって、還元水を生成する装置において、コンパクトな形状であって、しかも多目的な利用を可能とする構成に関するものである。
【背景技術】
【０００２】
一般に水の酸化還元電位として、銀−塩化銀電極を使用して測定したことによる酸化還元電位の値（ＯＲＰ値）が＋２００ｍＶを示す場合が中間値とされ、当該中間値よりも低い電位による水は還元水と称されている。
【０００３】
還元水生成装置は、必然的に一対の電極（前記の銀−塩化銀電極は、酸化還元電位の測定に使用されるも、前記一対の電極としては実際には殆ど使用されていない）を採用しているが、大抵の場合には、前記一対の電極は底部から容器の上側に突設した状態にて略平行に設けられている。
【０００４】
しかしながら、このような電極の突接構造の場合には、必然的に水を収容する容器において、当該突設方向に沿った周壁を必要とし、携帯上極めて不便とならざるを得ない。
【０００５】
このような状況に鑑み、例えば、特許文献１及び同２においては、容器又は水槽の底部に対し略平行な状況にて一対の板状電極を設置する構成が提唱されている。
【０００６】
しかしながら、このような構成においても、決して十分コンパクトな形状が実現している訳ではない。
【０００７】
因みに、これらの構成においても、浴槽の水の還元に使用されているが、形状として十分コンパクトではないため、還元水生成装置を浴槽外に設置して水を循環させており、浴槽内に収容した状態にて水の還元が行われている訳ではない。
【先行技術文献】
【特許文献】
【０００８】
【特許文献１】特開２００１-７９５４８号公報
【特許文献２】特開２００６-１３０４７３号公報
【考案の概要】
【考案が解決しようとする課題】
【０００９】
本考案は、携帯に便利であって、浴槽内に収容した状態にて水の還元を実現する一方、浴槽から離れた部屋内の空気の還元に適用し、更には飲用水の還元にも適用するという多目的な利用を可能とするような還元水生成装置の構成を提供することを課題としている。
【課題を解決するための手段】
【００１０】
前記課題を解決するため、本考案の基本構成は、
（１）水を収容する皿状の容器の底部に一対の板状電極をそれぞれ貼着し、当該容器に対し、上側において電気分解に基づく酸素及び水素が通過する孔を有している被覆部を接続するか又は一体形成し、前記容器を下側から支持する支持部中に直流電源を備えていることに基づく還元水生成装置、
（２）水を収容する皿状の容器の底部に一対の板状電極をそれぞれ貼着し、当該容器に対し、上側において電気分解に基づく酸素及び水素が通過する孔を有している被覆部を接続するか又は一体形成し、前記被覆部を下側から支持する支持部中に直流電源を備えていることに基づく還元水生成装置、
からなる。
【考案の効果】
【００１１】
前記基本構成（１）、（２）に基づく本考案においては、利用者は、一方では、浴槽内に還元水生成装置を収容した状態にて水の還元を実現する一方、当該装置を通常の部屋に設置すると共に、容器内に水を収容して、部屋内の空気に加水分解に基づく水素を発生させることによる空気の還元に使用するだけでなく、飲用水の還元に使用することも可能となる。
【図面の簡単な説明】
【００１２】
【図１】前記基本構成（１）の実施形態を示しており、（ａ）は断面図であり、（ｂ）は上側からの平面図である。
【図２】前記基本構成（２）の実施形態を示す断面図である（平面図の状態は、図１（ｂ）と同一であるので省略する。）。
【図３】扇風機を内部に設けている蓋によって、還元水生成装置をカバーした状態を示す実施例による断面図の構成を示す。
【図４】一対の電極の一方が他方を囲んだ形状であるか、一方の電極を凸形状とし、他方の電極を凹形状としたうえで、凸形状の凸部の領域が凹形状の凹部の領域に突入した形状の場合を示す。
【考案を実施するための形態】
【００１３】
基本構成（１）及び（２）は、何れも板状の一対の電極４をそれぞれ底部１１に貼着している皿状の容器１、孔５を有している被覆部２、直流電源６を備えている支持部３を構成要素としている。
【００１４】
直流電源６においては、通常家庭内に送電されている交流電源に対する整流器を介した電源、又はバッテリー等の携帯用の直流電池が使用されている。
【００１５】
基本構成（１）においては、図１（ａ）に示すように、支持部３は、容器１を支持しており、容器１と被覆部２とは一体形成の場合、又は相互に接続し合う場合の双方を採用することができる（尚、図１（ａ）においては、接続し合う場合の形状を示す。）。
【００１６】
これに対し、基本構成（２）においては、支持部３は被覆部２を支持する一方、容器１と被覆部２とは一体形成の場合、及び相互に接続し合う場合の双方が採用可能であり、この点は、前記（１）の場合と変わりはない。
【００１７】
被覆部２においては、図１（ｂ）に示すように、加水分解によって発生した酸素（Ｏ2）及び水素（Ｈ2）を通過させるための孔５を設けているが、孔５の数、形状、位置については特に限定されていない。
但し、図１（ｂ）に示すように、各電極４に対応する位置にそれぞれ複数個の孔５を設ける構成の場合には、水素と酸素との再結合の危険性を防止するうえで適切である。
【００１８】
基本構成（１）、（２）の何れの場合においても、皿状の容器１内に一対の平板電極４を設けるというコンパクトな構成であることに基づき、本考案の装置は、浴槽内に収容した状態にて水の還元を実現することができる。
【００１９】
更には、前記基本構成（１）の場合には、被覆部２、容器１及び支持部３について素材の強度を所定以上とし、前記基本構成（２）の場合には、支持部３及び被覆部２の素材の強度を所定以上とすることによって身体を当該被覆部２に載置し、入浴中の身体を支えることも可能となる。
【００２０】
このようなコンパクトな構成に基づいて、本考案に係る装置を部屋内に移動して設置した場合には、加水分解された水素を部屋内に揮散させることによって、空気を還元浄化し、居住上の健康に資することも可能となる。
【００２１】
被覆部２の形状は、特に限定される訳ではないが、図１（ａ）及び図２に示すように、中央部となるに従って窪んだ形状とした場合には、身体を安定した状態にて被覆部２上に載置させることができる一方、部屋内に装置を設置する場合には、水を凹部の上側まで収容させることによって加水分解を継続し、部屋内の空気の還元、及び飲用水の還元に使用することも可能となる。
【００２２】
水を被覆部２の凹部に収容する場合には、当該水が外側に散逸することを防止するため、図３に示すように、被覆部２の上側に、内側に扇風機を収容し、しかも加水分解による酸素又は水素を通過させる孔５を複数個設置している蓋８を装置の上側に配置する実施形態は、水の散逸を防止し、しかも水素の広範な頒布を実現するうえで極めて好都合である。
尚、蓋８に設ける孔５の場合においても、それぞれ陽極及び陰極に対応する位置に孔５を設けた場合には、酸素と水素との再結合の危険を防止し得る点において適切であることは、被覆部２に設けた孔５の場合と変わりはない。
【００２３】
図１（ａ）、（ｂ）は、平板状の電極４を相互に独立した位置に配置しているが、図４（ａ）、（ｂ）に示すように、一方側の電極４が他方側の電極４を囲んだ状態とする形状、又は一対の電極４の一方が他方を囲んだ形状であるか、一方の電極４を凸形状とし、他方の電極４を凹形状としたうえで、凸形状の凸部の領域が凹形状の凹部の領域に突入した形状においては、電極４の配置につき、皿状の容器の底部１１の面積を有効に使用することができる。
【実施例】
【００２４】
実施例は、一対の電極４に対する直流電源６として定電流回路を採用していることを特徴としている。
【００２５】
定電流を印加する還元水生成装置は、既に特願２００７−２６３８８２号出願において明らかにしたように、還元電圧の大きさを概略一定とし、ひいては、安定した状態にて酸素及び水素の加水分解を行い得ることに最大の技術上のメリットが存在し、この点は本考案においても当然妥当する。
【産業上の利用可能性】
【００２６】
本考案は、コンパクトな構成によって多目的な使用を目的とする還元水生成装置の全ての分野に利用することが可能である。
【符号の説明】
【００２７】
１  容器
１１  容器の底部
２  被覆部
３  支持部
４  電極
４１  電源
５  孔
６  直流電源
７  境界部分（境界部分形成のために特別な素材を設置する場合と、設置しない場合とがある。）
８  蓋
９  ファン
９１  ファン支持部
【図１】
0003155538.tif 000003
【図２】
0003155538.tif 000004
【図３】
0003155538.tif 000005
【図４】
0003155538.tif 000006